(57)【要約】【課題】市販の漏斗を使用して、これを安定して支持すると共に、一度に多量の液体を注いでも溢れることなく円滑に注入することができる漏斗受け具を提供するものである。【解決手段】中空逆円錐状をなす受け具本体２の底部に、これと連通する注入管ガイド筒３を垂下し、この注入管ガイド筒３を囲むように外筒４を、前記受け具本体２の底部側に一体に形成して、この外筒４と注入管ガイド筒３との間に、瓶５の首部６が挿入される環状挿入部７を形成し、前記注入管ガイド筒３の下部より上方位置の外筒４に、環状挿入部７と外部が連通する空気抜き孔８を開口したものである。【選択図】  図２
0003114418.tif 000002
【実用新案登録請求の範囲】
【請求項１】
中空逆円錐状をなす受け具本体の底部に、これと連通する注入管ガイド筒を垂下し、この注入管ガイド筒を囲むように外筒を、前記受け具本体の底部側に一体に形成して、この外筒と注入管ガイド筒との間に、瓶の首部が挿入される環状挿入部を形成し、前記注入管ガイド筒の下部より上方位置の外筒に、環状挿入部と外部とを連通する空気抜き孔を開口したことを特徴とする漏斗受け具。
【請求項２】
瓶の首部が挿入される環状挿入部の内側にクッション材を取付けたことを特徴とする請求項１記載の漏斗受け具。
【考案の詳細な説明】
【技術分野】
【０００１】
本考案は、瓶に液体を注入する漏斗を支持する漏斗受け具に関するものである。
【背景技術】
【０００２】
一般に大きな容器から容量の小さな瓶に、調味料や油、薬液などを注入する時に、瓶の口部に漏斗を差し込んで注入している。この従来の漏斗は中空逆円錐状をなす受け具本体の底部に、これと連通する注入管を一体に垂下した構造をなし、この注入管を瓶の口部に挿着して、受け具本体の上部から液体を注ぐようになっている。しかしながら従来の漏斗は、液体の流入路と空気の排出路が同じであるため、注入される液体と瓶内の空気とが交互に入れ替わることにより注入され、一度に多量の液体を注ぐと、漏斗から溢れてしまうことがある。
【０００３】
このため注入管と受け具本体の外側壁に溝を形成して、瓶内の空気をこの外側面に形成した溝から排出するようにした漏斗（特許文献１）が開発されている。また注入管と受け具本体の外側面に突起を形成して、瓶の口部と注入管との間に、空気を抜く隙間を形成した漏斗（特許文献２）も開発されている。
【０００４】
しかしながらこれらの漏斗は、何れも内径の小さい瓶の口部に挿入されるので、注入管の外側面に形成できる溝や突起は小さい。このため、注入管と瓶の口部内壁との間には小さな空気抜きしか形成することができず、一度に多量の液体を漏斗に注ぐと、空気が抜けずに溢れてしまう問題があった。また従来の漏斗は、瓶の口部に注入管を挿入して瓶に支持させるので、安定性が悪く、多量の液体を漏斗に注ぐと漏斗が傾いてこぼれてしまう問題もあった。
【特許文献１】特開平８−２０７９９６号公報
【特許文献２】特開平８−２４４８９２号公報
【考案の開示】
【考案が解決しようとする課題】
【０００５】
本考案は上記問題を改善し、市販の漏斗を使用して、これを安定して支持すると共に、一度に多量の液体を注いでも溢れることなく円滑に注入することができる漏斗受け具を提供するものである。
【課題を解決するための手段】
【０００６】
本考案の請求項１記載の漏斗受け具は、中空逆円錐状をなす受け具本体の底部に、これと連通する注入管ガイド筒を垂下し、この注入管ガイド筒を囲むように外筒を、前記受け具本体の底部側に一体に形成して、この外筒と注入管ガイド筒との間に、瓶の首部が挿入される環状挿入部を形成し、前記注入管ガイド筒の下部より上方位置の外筒に、環状挿入部と外部とを連通する空気抜き孔を開口したことを特徴とするものである。
【０００７】
本考案の請求項２記載の漏斗受け具は、瓶の首部が挿入される環状挿入部の内側にクッション材を取付けたことを特徴とするものである。
【考案の効果】
【０００８】
本考案に係る請求項１記載の漏斗受け具によれば、漏斗を漏斗受け具に上部から差し込んで、漏斗の注入管を注入管ガイド筒の内側に挿入してから、液体を漏斗に注入すると、液体は注入管から注入管ガイド筒を通過して瓶の口部から内部に流入する。この時、空気は注入管ガイド筒と瓶の口部との間の隙間から上昇し、環状挿入部の上部から空気抜き孔を通って外部に排出され、液体の流路と空気の排出路が別個に形成されているので、液体を溢れることなく円滑に瓶内に注入することができる。
【０００９】
また請求項２記載の漏斗受け具によれば、外筒の内側にクッション材が取付けられているので、瓶の首部はクッション材に外側から挟持されて、漏斗受け具を確実に支持することができる。
【考案を実施するための最良の形態】
【００１０】
以下本考案の実施の一形態を図１ないし図２を参照して詳細に説明する。図において１は漏斗受け具を示すもので、これはプラスチックで形成された中空逆円錐状をなす受け具本体２の底部に、これと連通する注入管ガイド筒３を一体に垂下し、この注入管ガイド筒３を囲むように、外筒４が受け具本体２の底部側に一体に形成されている。更にこの外筒４と注入管ガイド筒３との間には、瓶５の首部６が挿入される環状挿入部７を形成し、前記注入管ガイド筒３の下部より上方位置の外筒４に、環状挿入部７と外部が連通する複数の空気抜き孔８を開孔したものである。
【００１１】
また環状挿入部７の内側の下部周縁には、ゴム管で形成された円形のクッション材９が取付けられていると共に、環状挿入部７の内壁面にも間隔をおいて縦方向に複数本のゴム管で形成されたクッション材９が取付けられている。なお１０は市販の漏斗で、これは中空逆円錐状をなす漏斗本体１１の底部に、これと連通する注入管１２を一体に垂下し、漏斗本体１１の上部に取っ手１３を横方向に突設したものである。
【００１２】
上記構成の漏斗受け具１を用いて、大容量の容器１４から少容量の瓶５に液体１５を注入する場合について図２を参照して説明する。瓶５の首部６の上に漏斗受け具１を被せて、首部６を環状挿入部７に挿着して、注入管ガイド筒３を口部１７の内側に挿入する。外筒４の内側下部周縁には、ゴム管で形成された円形のクッション材９が取付けられていると共に、環状挿入部７の内壁面にも間隔をおいて縦方向に複数本のゴム管で形成されたクッション材９が取付けられているので、首部６はクッション材９に外側から挟持されて、漏斗受け具１は確実に支持される。
【００１３】
この後、市販の漏斗１０を漏斗受け具１の受け具本体２に上部から差し込んで、下部の注入管１２を注入管ガイド筒３の内側に挿入する。この後、大容量の容器１４を両手で持って傾けて、液体１５を漏斗１０の漏斗本体１１に注入する。ここに注入された液体１５は、注入管１２から注入管ガイド筒３を通過して瓶５の口部１７から内部に流入する。
【００１４】
この時、空気は注入管ガイド筒３と口部１７との間の隙間から上昇し、環状挿入部７の上部から外筒４に開孔した空気抜き孔８を通って外部に排出される。従って、液体１５の流路と空気の排出路が別個に形成されているので、液体１５と瓶５内の空気が速やかに入れ替わって、液体１５を漏斗１０から溢れることなく円滑に瓶５内に注入することができる。
【００１５】
図３は本考案の他の実施の形態を示すもので、ガイド棒１８の下端に浮子１９を取付け、上部に十字状の羽根２０を取付けたストッパー２１を漏斗１０に取付けたものである。ガイド棒１８は、丸棒２２の上部をパイプ２３に挿入して、その長さを調整できるようになっている。
【００１６】
このストッパー２１は、瓶５内の液体１５が首部６まで注入されると、浮子１９が液面に浮いているので、注入管ガイド筒３の下端を塞ぐことができる。この場合、ストッパー２１の羽根２０が上昇して来た時点で注入を停止すると良い。特に花瓶など不透明な容器に水を注入する場合に効果的である。
【００１７】
なお受け具本体２は上記構成に限らず、漏斗１０を挿着して支持できる中空逆円錐状に形成されていれば他の構造でも良い。またクッション材９としてゴム管を用いた場合について示したが、クッション性のある材料であれば他の材料でも良く、またその形状も任意に選定することができる。
【図面の簡単な説明】
【００１８】
【図１】本考案の実施の一形態による漏斗受け具の断面図である。
【図２】図１の漏斗受け具に漏斗をセットして液体を注入している状態を示す断面図である。
【図３】本考案の他の実施の形態による、ストッパーを漏斗に取付けて液体を注入している状態を示す断面図である。
【符号の説明】
【００１９】
１    漏斗受け具                                            
２    受け具本体                                            
３    注入管ガイド筒                                        
４    外筒                                                  
５    瓶                                                    
６    首部                                                  
７    環状挿入部                                            
８    空気抜き孔                                            
９    クッション材                                          
１０  漏斗                                                  
１１  漏斗本体                                              
１２  注入管                                                
１３  取っ手                                                
１４  容器                                                  
１５  液体                                                  
１６  空気                                                  
１７  口部                                                  
１８  ガイド棒                                              
１９  浮子                                                  
２０  羽根                                                  
２１  ストッパー                                            
２２  パイプ  
２３  丸棒  
【図１】
0003114418.tif 000003
【図２】
0003114418.tif 000004
【図３】
0003114418.tif 000005